【事件の表示】
　特許第２８８３５９０号「遊技機」の請求項１、２、４、５、６に係る発明の特許に対する特許異議の申立てについて、次のとおり決定する。
【結　論】
　訂正を認める。
　特許第２８８３５９０号の請求項１、２、４、５に係る発明の特許を維持する。
【理　由】
１．手続の経緯
  本件特許第２８８３５９０号の請求項１ないし５に係る発明は、平成８年１２月２７日に特許出願され、平成１１年２月５日に設定登録された。その後、平成１０年１０月１９日に町田彬より特許異議の申立てがあり、これを受けて平成１２年３月２８日付け及び平成１２年７月２７日付けで取消理由通知がなされ、平成１２年６月５日及び平成１２年９月２０日付けで訂正請求がなされた（なお、前者の訂正請求は、平成１２年９月２０日付けで訂正請求取下書が提出されている）。
２．訂正の内容とその適否について
（１）訂正の内容
イ．特許請求の範囲の訂正
（訂正事項１）【請求項１】を以下のとおり訂正する。
【請求項１】遊技機本体(3)(4)に装着された遊技盤(5)側に、部品本体(37)と、この部品本体(37)に対応する電気部品(38)を有する複数個の遊技部品(19)を配置し、遊技盤(5)の裏面に、前記複数個の遊技部品(19)を覆う裏カバー(26)を着脱自在に固定した遊技機において、遊技盤(5)の部品装着位置に開口部(36)を形成し、裏カバー(26)内に、開口部(62)が形成された裏ベース板(32)を設け、遊技部品(19)の部品本体(37)を前者開口部(36)に合わせて遊技盤(5)の前側に装着すると共に、遊技部品(19)の電気部品(38)の内、少なくとも主要な電気部品(38)を、前者開口部(36)を介して部品本体(37)と前後に相対応し、一部が後者開口部(62)を介して後方に突出するように裏ベース板(32)に配置し、この主要な電気部品(38)を裏ベース板(32)に前後方向に位置調節可能に取り付けたことを特徴とする遊技機。
（訂正事項２）【請求項２】を以下のとおり訂正する。
【請求項２】裏ベース板(32)に取り付け部(65)を介して前記主要な電気部品(38)を装着して裏カバーユニット(35)を構成し、この裏カバーユニット(35)を遊技盤(5)の裏側に着脱自在に取り付けたことを特徴とする請求項１に記載の遊技機。
（訂正事項３）【請求項４】を以下のとおり訂正する。
【請求項４】裏カバー(26)内で裏ベース板(32)の前側に中継基板(33)を配置し、この中継基板(33)に、前記主要な電気部品(38)を除く他の電気部品(38)を装着すると共に前記主要な電気部品(38)をリード線(82)を介して接続し、この中継基板(33)と裏カバー(26)側の主制御基板(53)とをケーブル(85)を介して接続したことを特徴とする請求項１乃至３の何れかに記載の遊技機。
（訂正事項４）【請求項５】を以下のとおり訂正する。
【請求項５】遊技盤(5) と裏カバー(26)との一方に位置決め突起(56)を設け、この位置決め突起(56)が係合する位置決め係合部(57)を他方に設けたことを特徴とする請求項１乃至４の何れかに記載の遊技機。
（訂正事項５）【請求項６】を削除する。
ロ．発明の詳細な説明の欄の訂正
（訂正事項１）段落【０００９】を以下のとおり訂正する。
【０００９】
【課題を解決するための手段】
  請求項１に記載の本発明は、遊技機本体3,4 に装着された遊技盤5側に、部品本体37と、この部品本体37に対応する電気部品38を有する複数個の遊技部品19を配置し、遊技盤5の裏面に、前記複数個の遊技部品19を覆う裏カバー26を着脱自在に固定した遊技機において、遊技盤5の部品装着位置に開口部36を形成し、裏カバー26内に、開口部62が形成された裏ベース板32を設け、遊技部品19の部品本体37を前者開口部36に合わせて遊技盤5の前側に装着すると共に、遊技部品19の電気部品38の内、少なくとも主要な電気部品38を、前者開口部36を介して部品本体37と前後に相対応し、一部が後者開口部62を介して後方に突出するように裏ベース板32に配置し、この主要な電気部品38を裏ベース板32に前後方向に位置調節可能に取り付けたものである。
（訂正事項２）段落【００１０】を以下のとおり訂正する。
【００１０】
  請求項２に記載の本発明は、請求項１に記載の発明において、裏ベース板32に取り付け部65を介して前記主要な電気部品38を装着して裏カバーユニット35を構成し、この裏カバーユニット35を遊技盤5の裏側に着脱自在に取り付けたものである。
  請求項３に記載の本発明は、請求項１又は２に記載の発明において、裏ベース板32に、この裏ベース板32から前後方向に突出する取り付け部65を設け、この取り付け部65と前記主要な電気部品38の取り付け板46との間にスペーサ104 を着脱自在に介在したものである。
（訂正事項３）段落【００１１】を以下のとおり訂正する。
【００１１】
  請求項４に記載の本発明は、請求項１乃至３の何れかに記載の発明において、裏カバー26内で裏ベース板32の前側に中継基板33を配置し、この中継基板33に、前記主要な電気部品38を除く他の電気部品38を装着すると共に前記主要な電気部品38をリード線82を介して接続し、この中継基板33と裏カバー26側の主制御基板53とをケーブル85を介して接続したものである。
  請求項５に記載の本発明は、請求項１乃至４の何れかに記載の発明において、遊技盤5 と裏カバー26との一方に位置決め突起56を設け、この位置決め突起56が係合する位置決め係合部57を他方に設けたものである。
（訂正事項４）段落【００６３】を以下のとおり訂正する。
【００６３】
【発明の効果】
  請求項１に記載の本発明によれば、遊技盤5の部品装着位置に開口部36を形成し、遊技部品19の部品本体37を開口部36に合わせて遊技盤5の前側に装着すると共に、遊技部品19の電気部品38の内、少なくとも主要な電気部品38を開口部36を介して部品本体37と前後に相対応するように裏カバー26側に配置し、この主要な電気部品38を裏カバー26に前後方向に位置調節可能に取り付けているので、遊技盤5に対する遊技部品19の組み立て作業を容易にできると共に、主要な電気部品38側を種類の異なる遊技部品19にも兼用でき、しかも遊技部品19の形態に応じて主要な電気部品38を前後に調節でき、また電気部品38の組み立て状態での検査を容易にできる。また部品本体37の寸法、形状等が前後に変化しても、その電気部品38を部品本体37に合わせて適正位置に配置でき、更に複数個の遊技部品19の電気部品38を裏カバー26側に装着することも可能であるため、遊技盤5と裏カバー26とを結合する最終的な組み立ても容易にできる。しかも、遊技部品19の部品購入コストを低減して製作コストを削減できる。更に裏ベース板32に開口孔62を形成し、この開口孔62を介して一部が後方に突出するように裏ベース板32に主要な電気部品38を装着しているので、裏ベース板32を遊技盤5に近接させて配置でき、遊技盤5から後方への突出量を抑えて小型化できる。
（訂正事項５）段落【００６４】を以下のとおり訂正する。
【００６４】
  請求項２に記載の本発明によれば、裏ベース板32に取り付け部65を介して前記主要な電気部品38を装着して裏カバーユニット35を構成し、この裏カバーユニット35を遊技盤5の裏側に着脱自在に取り付けているので、裏カバー26内に主要な電気部品38を容易に装着できると共に、その取り扱いが非常に容易であり、特にメンテナンス等を容易に行うことができる。
　請求項３に記載の本発明によれば、裏ベース板32に、この裏ベース板32から前後方向に突出する取り付け部65を設け、この取り付け部65と前記主要な電気部品38の取り付け板46との間にスペーサ104 を着脱自在に介在しているので、スペーサ104 の有無、種類等によって主要な電気部品38の前後位置を容易に調節できる。
（訂正事項６）段落【００６５】を以下のとおり訂正する。
【００６５】
　請求項４に記載の本発明によれば、裏カバー26内で裏ベース板32の前側に中継基板33を配置し、この中継基板33に、前記主要な電気部品38を除く他の電気部品38を装着すると共に前記主要な電気部品38をリード線82を介して接続し、この中継基板33と裏カバー26側の主制御基板53とをケーブル85を介して接続しているで、裏カバー26により電気部品38、中継基板33を保護でき、その取り扱いが容易であると共に、裏カバー26側で電気部品38、中継基板33、主制御基板53を含む全ての検査を行うことができる。
  請求項５に記載の本発明によれば、遊技盤5と裏カバー26との一方に位置決め突起56を設け、この位置決め突起56が係合する位置決め係合部57を他方に設けているので、部品本体37が遊技盤5側にあり、電気部品38が裏カバー26側にあるにも拘わらず、部品本体37と電気部品38とのずれ等を防止でき、遊技盤5と裏カバー26との結合が容易である。
（２）訂正の目的の適否及び拡張・変更の存否
　上記特許請求の範囲の訂正内容は、特許明細書及び図面に記載された事項の範囲内であり、かつ特許請求の範囲の減縮に該当し、実質的に特許請求の範囲を拡張・変更するものではない。
　また、同時になされた発明の詳細な説明の欄の訂正内容は、特許明細書及び図面に記載された事項の範囲内であって、上記特許請求の範囲の訂正内容との整合性を図るべく明瞭でない記載の釈明を目的とし、実質上特許請求の範囲を拡張・変更するものではない。
（３）独立特許要件の判断
（３−１）訂正明細書の発明
　訂正明細書の請求項１ないし５に係る発明（以下、第１発明ないし第５発明という）は、訂正明細書の特許請求の範囲の請求項１ないし５に記載された次の事項により特定されるものである。
【請求項１】遊技機本体(3)(4)に装着された遊技盤(5) 側に、部品本体(37)と、この部品本体(37)に対応する電気部品(38)を有する複数個の遊技部品(19)を配置し、遊技盤(5) の裏面に、前記複数個の遊技部品(19)を覆う裏カバー(26)を着脱自在に固定した遊技機において、遊技盤(5) の部品装着位置に開口部(36)を形成し、裏カバー(26)内に、開口部(62)が形成された裏ベース板(32)を設け、遊技部品(19)の部品本体(37)を前者開口部(36)に合わせて遊技盤(5) の前側に装着すると共に、遊技部品(19)の電気部品(38)の内、少なくとも主要な電気部品(38)を、前者開口部(36)を介して部品本体(37)と前後に相対応し、一部が後者開口部(62)を介して後方に突出するように裏ベース板(32)に配置し、この主要な電気部品(38)を裏ベース板(32)に前後方向に位置調節可能に取り付けたことを特徴とする遊技機。
【請求項２】裏ベース板(32)に取り付け部(65)を介して前記主要な電気部品(38)を装着して裏カバーユニット(35)を構成し、この裏カバーユニット(35)を遊技盤(5) の裏側に着脱自在に取り付けたことを特徴とする請求項１に記載の遊技機。
【請求項３】裏ベース板(32)に、この裏ベース板(32)から前後方向に突出する取り付け部(65)を設け、この取り付け部(65)と前記主要な電気部品(38)の取り付け板(46)との間にスペーサ(104) を着脱自在に介在したことを特徴とする請求項１又は２に記載の遊技機。
【請求項４】裏カバー(26)内で裏ベース板(32)の前側に中継基板(33)を配置し、この中継基板(33)に、前記主要な電気部品(38)を除く他の電気部品(38)を装着すると共に前記主要な電気部品(38)をリード線(82)を介して接続し、この中継基板(33)と裏カバー(26)側の主制御基板(53)とをケーブル(85)を介して接続したことを特徴とする請求項１乃至３の何れかに記載の遊技機。
【請求項５】遊技盤(5) と裏カバー(26)との一方に位置決め突起(56)を設け、この位置決め突起(56)が係合する位置決め係合部(57)を他方に設けたことを特徴とする請求項１乃至４の何れかに記載の遊技機。
（３−２）引用刊行物記載の発明
　当審による平成１２年７月２７日付け取消理由通知書にて示した本件特許の出願日前に頒布された刊行物である特開平６−２６９５３８号公報（以下、引用例１という）、実願昭５５−５８７３号（実開昭５６−１０９７９０号）の全文マイクロフィルム（以下、引用例２という）、特開平８−８４８４１号公報（以下、引用例３という）には、それぞれ以下の発明が記載されている。
（引用例１）
「【請求項１】遊技板の裏側に機構板を配設したパチンコ機において、前記機構板に表示器を取り付け、且つ前記遊技板に表示器が前側から可視できる開口孔を穿設することを特徴とするパチンコ機の表示器。
【請求項２】表示器を機構板に移動可能に取り付けることを特徴とする請求項1のパチンコ機の表示器。」(特許請求の範囲)
「【０００５】【作用】表示器は機構板に取り付けてあるため、遊技板を取り替えても表示器は機構板に取着したままである。その為、遊技板を廃棄処分しても、表示器の再利用を図ることができる。又、表示器が移動可能に機構板に取り付けてあることによって、遊技板の種々のデザインに対応して表示器の配置位置を決定することができ、表示器の再利用価値を高める。」
「【０００７】図４〜図７は、図３のＡ〜Ａ断面(木枠１を図示せず)を示し、表示器１８の再利用が可能である構成を例示する。
（実施例１)本実施例は図４に示し、前面枠６は回動体６aを介して木枠１(図示略)に開閉可能に取り付けられ、又、遊技板６０を収納する裏枠３は前記前面枠６の裏面に固定されている。尚、遊技板６０は裏枠３に収納されて図示略の固定具で固定されている。遊技板６０のほぼ中央には、後述の表示器１８を前側から可視できる開口孔６５が穿設されていて、飾り具６４が前記開ロ孔６５の周縁に装着してある。又、遊技板６０の裏面には、表示データ用ＲＯＭ、制御用ＲＯＭ、表示制御手段等を有する制御基板７１が取着してあり、この制御基板７１は主制御装置(図示略)からの信号によって作動して、表示器１８に図柄等を表す。一方、機構板４１は前記裏枠３に回動体４１aを介して開閉可能に取着されている。又、機構板４１のほぼ中央部には、通気孔４４bを有する箱型のカバー４４が回動体４４aで開閉可能に取り付けられていて、表示器１８が取着された表示駆動手段を内蔵する制御箱２１が、前記カバー４４内の支持体４５に固定されている。尚、前記制御基板７１から前記表示駆動手段への信号伝達はフレキシブル信号線４７でコネクター４７a、４７bを介して行う。前記構成のパチンコ機を組み立てた正面図は、図３に示すように、表示器１８は開口孔６５から可視でき、従来と同じ状態でゲームを行うことができる。一方、遊技板６０を取り替えるときにはコネクタ４７aを外して行う。この遊技板６０は廃棄処分となるが、機構板４１に取着してある表示器１８及び制御箱２１内の表示駆動手段は再利用可能となる。即ち、表示内容を異にする制御基板７１を新たなデザインが施された遊技板６０の裏面に取着し、この遊技板６０に取り替えた後、コネクター４７aを接続することによって、新たな表示内容を表す表示器１８とすることができる。」
「【０００８】(実施例２)本実施例は図５に示すように、実施例１とは、制御基板７２を表示駆動手段を内蔵する制御箱２１に装脱可能に構成し、遊技板６０の裏面には表示データ用ＲＯＭ等を付設していない点を異にする。制御箱２１にコネクタ２１aを設け、一方、制御基板７２を、実施例１と同じ制御基板をカバー７２bで覆って形成し、且つ、端部に前記コネクタ２１aに着脱可能なコネクタ７２aを付設して形成する。尚、カバー４４には通気孔４４bが穿孔されている。又、他の部品等は実施例１(図４)と同じであるため省略する。
　表示器１８の表示内容を替えるときには、前記通気孔４４bから制御基板７２を入れ替える。このため、遊技板６０を取り替えたとしても、表示器１８及び表示駆動手段の再利用を図ることができ、更に、遊技板６０を取り替えるか否かに拘らず、表示内容を替えるときには制御基板７２だけを取り替えることによって可能となる。」
「【０００９】(実施例３)本実施例は図６に示すように、表示器１８は、カバー４内に設けられた支持体４５の両端部に固定されている支持部材４８に固定されている。一方、遊技板６０の裏面には、表示データ用ＲＯＭ、制御用ＲＯＭ、表示制御手段等と共に表示駆動手段を有する制御基板７３が付設されている。尚、表示器１８は、図示略に主制御装置によって制御され、前記制御基板７３からの信号をコネクタ４７a、４７bを連結するフレキシブル信号線４７を介して行う。尚、他の部品等は実施例１(図４)と同じであるため省略する。本実施例の場合、遊技板６０を取り替えると、表示駆動手段等を含む表示制御基板７３が廃棄となるが、表示器１８は再利用可能である。
(実施例４)本実施例は図７に示すように、表示器１８はカバー４４内に支持部材４８で固定されていて、該支持部材４８には、後述の制御基板７４のコネクタ７４aに着脱するコネクタ４８aが設けられている。一方、制御基板７４は、前記実施例３の制御基板と同じ作用をなす表示データ用ＲＯＭ、制御用ＲＯＭ、表示制御手段等と共に表示駆動手段が組み込まれ、端部に前記コネクタ４８aに着脱可能なコネクタ７４aが付設されて、カバー７４bで覆われている。尚、他の部品等は実施例１(図４)と同じであるため省略する。表示器１８の内容を変更する場合には、前記制御基板７４を取り替えることによって可能であり、遊技板６０を取り替えたとしても、表示器１８を廃棄する必要はない。又、制御基板７４を取り替えることによって、新たな表示内容を表示することができる。」
「【００１０】(実施例５)本実施例は、表示器１８を移動可能に機構板４１を構成するカバー４４内に取着したものであって、遊技板６０の新たなデザインに容易に対応することができる。図８は機構板４１の裏面に取り付けられるカバー４４の平面図、図９は図８のＢ〜Ｂ矢視を示す側面図、図１０は裏面図、図１１は図１０のＣ〜Ｃ断面図である。カバー４４は箱型に形成され、機構板４１に開閉可能で且つ装脱可能に回動体４４aが取着され、他端部に固定用のネジ止め孔４６が形成されている。又、カバー４４の表面には一対の溝４８が穿設されていて、断面が４角状で頂面に溝４７a(前記溝４８と垂直方向)が形成してあるガイド体４７は、前記溝４８を介してビス４９止めされる。一方、表示器１８が固定された表示駆動手段を内蔵する制御箱２１の両端部には孔(図示略)が穿孔されていて、前記ガイド体４７の溝４７aを介してビス５０止めされる。即ち、表示器１８はビス４９を弛緩することによって図１０の左右動が可能となり、ビス５０を弛緩することによって図１０の上下動が可能となっている。従って、遊技板６０は、表示器１８を特定位置としてデザインする必要がなく、種々の位置に設置することを想定してデザインすることができる。尚、遊技板６０に穿設される開口孔６５の位置は、前記表示器１８を固定した位置に対応するように設けることはいうまでもない。この様に、表示器１８を移動可能に機構板４１に取り付けることによって、種々のデザインを施した遊技板に対応することができ、より一層、表示器１８の再利用を可能とする。尚、前記表示器１８には表示制御手段を有する制御箱２１と組み合せた状態を例示してあるが、表示器１８だけを移動可能に形成したり等、前記実施例１〜４に示すように構成して表示器１８を移動可能にすることも可能である。」
「【００１１】【発明の効果】本発明のパチンコ機の表示器は、遊技板とは別体の機構板に取着してあるため、遊技板を交換しても廃棄処分することなく再利用可能である。又、表示器を移動可能に構成することによって、より一層、各種の遊技板のデザインに対応することが可能となって、省資源に役に立つ。」
（引用例２）
「（１）遊技盤を有する前面枠を外枠に開閉自在に取付け、上記遊技盤に形成した透孔にＣＲＴの表示部を臨ませてなるＣＲＴを備えたパチンコ機において、上記外枠の上板に一対の垂直方向の取付脚を有する取付枠を垂下させ、上記取付脚間に取付位置の調節を可能として可動枠を支持させ、この可動枠にＣＲＴおよびこれの制御基板を収納した、非伝導性材料からなるＣＲＴ収納ケースを支持させたことを特徴とするＣＲＴを備えたパチンコ機。
（２）ＣＲＴ収納ケースが可動枠に対し取付位置調節可能である実用新案登録請求の範囲第１項記載のＣＲＴを備えたパチンコ機。」（実用新案登録請求の範囲）
「しかして上記遊技盤1を有する前面枠Ｆは、第２図に示すように矩形の外枠２０の一側に蝶番１９を介して枢着され、開閉自在となっている。外枠２０はＣＲＴ３を収納するに充分な奥行を有し、その上板２１下面には取付枠２２が垂下固定されている。取付枠２２は、取付ビス２３挿入用の長孔２４を有する取付ベース板２５と、このベース板から下方に延設した左右一対の取付脚２６とを備えており、一対の取付脚２６間に可動枠２７が支持されている。なお上記長孔２４は前後方向に長く、取付枠２２の前後方向の取付位置調節を可能としている。」（明細書第３頁末行〜第４頁１０行）
「可動枠２７は上下および左右の側板を有する矩形状に形成され、その左右の側板から横方向に延びる取付ボルト２８を突設する。取付ボルト２８は上記取付脚２６に穿設した前後方向に長い長孔２９に挿入されており、したがつて可動枠２７は長孔２９に沿つて前後に移動可能であり、また取付ボルト２８に螺合させた蝶ナット３０の螺合位置を変えることにより左右方向の位置調節を行なうこともできる。」(明細書第４頁１１〜１９行)
「したがつて上記構成に係る本パチンコ機は取付脚２６の長孔２９、可動枠２７の長孔３３、およびこれらに挿入した取付ボルト２８ 、３２に対する蝶ナット３０、３４の螺合位置の調節により、ＣＲＴ３の位置を自由に調節することができるから、ＣＲＴ３の表示部４を容易に透孔２のプロテクタ３６（第２図、第５図）に合致させることができる。これは特に本パチンコ機の組立時や遊技盤１を含む前面枠Ｆを交換する際に極めて効果的である。」（明細書第６頁１〜１０行）
（引用例３）
「【００１８】遊技盤５の後側には図１乃至図３に示すように、変動図柄表示手段１２、天入賞口１４、始動口１５、入賞手段１６、大入賞手段１７等を覆う裏カバー２０が装着され、この裏カバー２０に保護ケース２１を介して制御基板２２が取り付けられている。制御基板２２にはパチンコ機全体の遊技動作を制御するＩＣ、その他の電気部品等がプリント配線により装着さている。」
「【００１９】制御基板２２は保護ケース２１内に収められ、また保護ケース２１は裏カバー２０の開口部２３を略塞ぐように、下端側を裏カバー２０の係合部２４に係合させた状態で、上端側を裏カバー２０の係止爪２５により係止して着脱自在に装着されている。変動図柄表示手段１２は、横方向の左右及び中央に３個のドット式の図柄表示部２６を備えたＬＥＤ表示式であって、始動口１５に遊技球が入球した時に、各図柄表示部２６の図柄が所定時間だけ変動するようになっている。」
「【００２３】図柄表示基板３９の後側には、４個のスペーサー４７を介してネジ４８により中継基板４９が着脱自在に装着されている。中継基板４９は遊技盤５の装着孔３３よりも小さくなっており、図柄表示基板３９を介して胴部２７に装着した状態で遊技盤５の前側から装着孔３３に挿脱できるようになっている。」
（３−３）対比・判断
　そこで、本件第１発明と上記各引用例記載の発明とを対比する。引用例１には、本件発明の目的と同様に、本体部品のデザインを等を変更する場合にも、主要な電気部品である表示器を再利用して廃棄等の無駄を防止するために、表示器を遊技盤の裏に設けた機構板に上下左右に位置調節自在に設ける遊技機に関する発明が開示され、また、引用例２には遊技機の表示器を遊技盤に対して前後方向に位置調節させる発明が、さらに引用例３には、遊技機の遊技部品を覆う裏カバー内に表示器及びその基板と中継基板とを設ける発明がそれぞれ開示されているものの、各引用例には、本件第１発明で特定する「裏カバー内に、開口部が形成された裏ベース板を設け」、「少なくとも主要な電気部品を、前者開口部を介して部品本体と前後に相対応し、一部が後者開口部を介して後方に突出するように裏ベース板に配置し、この主要な電気部品を裏ベース板に前後方向に位置調節可能に取り付けた」という構成の開示はなく、またそれを示唆する記載もない。
　そして、本件第１発明はこの構成によって、明細書記載の「裏ベース板を遊技盤に近接させて配置でき、遊技盤から後方への突出量を抑えて小型化できる。」という効果を奏するものであるから、本件第１発明が引用例１ないし３に記載された発明から、容易に想到し得ることができた発明ということはできない。
　また、本件第２ないし第５発明は、いずれも第１発明を引用する従属発明であるから、上記引用例１ないし３に記載の発明から容易に発明し得たものということはできない。
（４）むすび
　以上のとおり、上記訂正の内容は特許法第１２０条の４第２項及び同条第３項で準用する同法第１２６条第２ないし４項の規定に適合するから、当該訂正請求を認める。
３．特許異議の申立てについての判断
（１）申立て理由の概要
  申立人町田彬は、本件特許の請求項１、２、４、５、６に係る発明は、本件特許の出願日前に頒布された甲第１号証ないし甲第９号証に記載された発明から容易に想到し得たものであって、特許法第２９条第２項の規定に違反して特許されたものであるから、同法第１１３条第１項第２号の規定により取り消されるべきである旨主張している。
　なお、申立人が取消を主張していた請求項１、２、４、５、６は、前記訂正によって実質的に請求項１、２、４、５に変更されたことから、本件申立の判断はこの請求項１、２、４、５について行う。
（２）訂正後の本件請求項１、２、４、５に係る発明
　本件特許の請求項１、２、４、５に係る発明（以下、本件第１、２、４、５発明という）は、訂正明細書の特許請求の範囲の請求項１、２、４、５に記載されたとおりのものである（前記２．（３）独立特許要件の判断参照）。
（３）証拠及び対比・判断
　申立人が提出した甲第１、２、８号証は、当審による平成１２年７月２７日付け取消理由通知書にて示した特開平６−２６９５３８号公報（引用例１）、実願昭５５−５８７３号（実開昭５６−１０９７９０号）の全文マイクロフィルム（引用例２）、特開平８−８４８４１号公報（引用例３）であり、前記２．（３）独立特許要件の判断にて示したように、本件第１、２、４、５発明がこれらの刊行物から容易に発明し得たものとすることはできない。
　また、甲第３号証（特開平５−２３７２３３号公報）、甲第４号証（特開平６−１４２３０７号公報）、甲第５号証（特開平６−２７７３３６号公報）、甲第６号証（特開平７−１３２１６６号公報）、甲第７号証（特開昭６３−３１５０８２号公報）、甲第９号証（特開平８−２９９５３５号公報）には、それぞれ、「バックライト用光源であるＣＦＬユニットを有するＬＣＤユニットにおいて、ＣＦＬユニットを本体に着脱自在に設ける」こと（甲第３号証）、「表示装置であるＬＣＤユニットを、表示窓に対して上下方向に位置調節可能に設ける」こと（甲第４号証）、「ベースフレームを遊技盤面にビス止めし、液晶表示パネル等を収納した収納ボックスを有する表示ユニットをユニット取り付け部に装着させる」こと（甲第５号証）、「可変表示装置前面枠体と、可変表示装置本体と、遊技盤の主要裏面を覆う入賞球集合カバー部材を備え、入賞球集合カバー部材には、可変表示本体取付部、可変表示装置本体取付ボスを形成する」こと（甲第６号証）、「一種類の入賞玉集合カバー体によって、数種類の弾球遊技機の仕様に対応できるよう、分割カバー体をそれぞれ互いに着脱自在、相対位置変更自在に設ける」こと（甲第７号証）、「遊技盤の裏カバーに、裏カバーの後壁部と制御基板ケースの前壁部とを係合手段により係合自在に設ける」こと（甲第９号証）が開示されているに止まり、本件第１発明で特定する「裏カバー内に、開口部が形成された裏ベース板を設け」、「少なくとも主要な電気部品を、前者開口部を介して部品本体と前後に相対応し、一部が後者開口部を介して後方に突出するように裏ベース板に配置し、この主要な電気部品を裏ベース板に前後方向に位置調節可能に取り付けた」という構成の開示はなく、またそれを示唆する記載もない。
　そして、本件第１発明はこの構成によって、明細書記載の「裏ベース板を遊技盤に近接させて配置でき、遊技盤から後方への突出量を抑えて小型化できる。」という効果を奏するものであるから、上記甲号各証に記載された発明から、容易に想到し得ることができた発明ということはできない。
　また、本件第２、４、５発明は、いずれも第１発明を引用する従属発明であるから、甲号各証に記載の発明から容易に発明し得たものということはできない。
（４）むすび
　以上のとおり、申立人が主張する理由及び証拠によっては、本件発明に係る特許を取り消すことはできない。
　さらに、本件発明に係る特許を取り消すべき他の理由を発見しない。
　よって、結論のとおり決定する。
【異議決定日】
平成１２年１０月１３日（２０００．１０．１３）
【訂正の要旨】
訂正の要旨
１．特許請求の範囲の訂正
（１）【請求項１】を以下のとおり訂正する。
　【請求項１】遊技機本体（３）（４）に装着された遊技盤（５）側に、部品本体（３７）と、この部品本体（３７）に対応する電気部品（３８）を有する複数個の遊技部品（１９）を配置し、遊技盤（５）の裏面に、前記複数個の遊技部品（１９）を覆う裏カバー（２６）を着脱自在に固定した遊技機において、遊技盤（５）の部品装着位置に開口部（３６）を形成し、裏カバー（２６）内に、開口部（６２）が形成された裏ベース板（３２）を設け、遊技部品（１９）の部品本体（３７）を前者開口部（３６）に合わせて遊技盤（５）の前側に装着すると共に、遊技部品（１９）の電気部品（３８）の内、少なくとも主要な電気部品（３８）を、前者開口部（３６）を介して部品本体（３７）と前後に相対応し、一部が後者開口部（６２）を介して後方に突出するように裏ベース板（３２）に配置し、この主要な電気部品（３８）を裏ベース板（３２）に前後方向に位置調節可能に取り付けたことを特徴とする遊技機。
（２）【請求項２】を以下のとおり訂正する。
　【請求項２】裏ベース板（３２）に取り付け部（６５）を介して前記主要な電気部品（３８）を装着して裏カバーユニット（３５）を構成し、この裏カバーユニット（３５）を遊技盤（５）の裏側に着脱自在に取り付けたことを特徴とする請求項１に記載の遊技機。
（３）【請求項４】を以下のとおり訂正する。
　【請求項４】裏カバー（２６）内で裏ベース板（３２）の前側に中継基板（３３）を配置し、この中継基板（３３）に、前記主要な電気部品（３８）を除く他の電気部品（３８）を装着すると共に前記主要な電気部品（３８）をリード線（８２）を介して接続し、この中継基板（３３）と裏カバー（２６）側の主制御基板（５３）とをケーブル（８５）を介して接続したことを特徴とする請求項１乃至３の何れかに記載の遊技機。
（４）【請求項５】を以下のとおり訂正する。
　【請求項５】遊技盤（５）と裏カバー（２６）との一方に位置決め突起（５６）を設け、この位置決め突起（５６）が係合する位置決め係合部（５７）を他方に設けたことを特徴とする請求項１乃至４の何れかに記載の遊技機。
（５）【請求項６】を削除する。
２．発明の詳細な説明の欄の訂正
（１）段落【０００９】を以下のとおり訂正する。
　【０００９】
　【課題を解決するための手段】
　請求項１に記載の本発明は、遊技機本体３，４　に装着された遊技盤５側に、部品本体３７と、この部品本体３７に対応する電気部品３８を有する複数個の遊技部品１９を配置し、遊技盤５の裏面に、前記複数個の遊技部品１９を覆う裏カバー２６を着脱自在に固定した遊技機において、遊技盤５の部品装着位置に開口部３６を形成し、裏カバー２６内に、開口部６２が形成された裏ベース板３２を設け、遊技部品１９の部品本体３７を前者開口部３６に合わせて遊技盤５の前側に装着すると共に、遊技部品１９の電気部品３８の内、少なくとも主要な電気部品３８を、前者開口部３６を介して部品本体３７と前後に相対応し、一部が後者開口部６２を介して後方に突出するように裏ベース板３２に配置し、この主要な電気部品３８を裏ベース板３２に前後方向に位置調節可能に取り付けたものである。
（２）段落【００１０】を以下のとおり訂正する。
　【００１０】
　請求項２に記載の本発明は、請求項１に記載の発明において、裏ベース板３２に取り付け部６５を介して前記主要な電気部品３８を装着して裏カバーユニット３５を構成し、この裏カバーユニット３５を遊技盤５の裏側に着脱自在に取り付けたものである。
　請求項３に記載の本発明は、請求項１又は２に記載の発明において、裏ベース板３２に、この裏ベース板３２から前後方向に突出する取り付け部６５を設け、この取り付け部６５と前記主要な電気部品３８の取り付け板４６との間にスペーサ１０４　を着脱自在に介在したものである。
（３）段落【００１１】を以下のとおり訂正する。
　【００１１】
　請求項４に記載の本発明は、請求項１乃至３の何れかに記載の発明において、裏カバー２６内で裏ベース板３２の前側に中継基板３３を配置し、この中継基板３３に、前記主要な電気部品３８を除く他の電気部品３８を装着すると共に前記主要な電気部品３８をリード線８２を介して接続し、この中継基板３３と裏カバー２６側の主制御基板５３とをケーブル８５を介して接続したものである。
　請求項５に記載の本発明は、請求項１乃至４の何れかに記載の発明において、遊技盤５と裏カバー２６との一方に位置決め突起５６を設け、この位置決め突起５６が係合する位置決め係合部５７を他方に設けたものである。
（４）段落【００６３】を以下のとおり訂正する。
　【００６３】
　【発明の効果】
　請求項１に記載の本発明によれば、遊技盤５の部品装着位置に開口部３６を形成し、遊技部品１９の部品本体３７を開口部３６に合わせて遊技盤５の前側に装着すると共に、遊技部品１９の電気部品３８の内、少なくとも主要な電気部品３８を開口部３６を介して部品本体３７と前後に相対応するように裏カバー２６側に配置し、この主要な電気部品３８を裏カバー２６に前後方向に位置調節可能に取り付けているので、遊技盤５に対する遊技部品１９の組み立て作業を容易にできると共に、主要な電気部品３８側を種類の異なる遊技部品１９にも兼用でき、しかも遊技部品１９の形態に応じて主要な電気部品３８を前後に調節でき、また電気部品３８の組み立て状態での検査を容易にできる。また部品本体３７の寸法、形状等が前後に変化しても、その電気部品３８を部品本体３７に合わせて適正位置に配置でき、更に複数個の遊技部品１９の電気部品３８を裏カバー２６側に装着することも可能であるため、遊技盤５と裏カバー２６とを結合する最終的な組み立ても容易にできる。しかも、遊技部品１９の部品購入コストを低減して製作コストを削減できる。更に裏ベース板３２に開口孔６２を形成し、この開口孔６２を介して一部が後方に突出するように裏ベース板３２に主要な電気部品３８を装着しているので、裏ベース板３２を遊技盤５に近接させて配置でき、遊技盤５から後方への突出量を抑えて小型化できる。
（５）段落【００６４】を以下のとおり訂正する。
　【００６４】
　請求項２に記載の本発明によれば、裏ベース板３２に取り付け部６５を介して前記主要な電気部品３８を装着して裏カバーユニット３５を構成し、この裏カバーユニット３５を遊技盤５の裏側に着脱自在に取り付けているので、裏カバー２６内に主要な電気部品３８を容易に装着できると共に、その取り扱いが非常に容易であり、特にメンテナンス等を容易に行うことができる。
　請求項３に記載の本発明によれば、裏ベース板３２に、この裏ベース板３２から前後方向に突出する取り付け部６５を設け、この取り付け部６５と前記主要な電気部品３８の取り付け板４６との間にスペーサ１０４を着脱自在に介在しているので、スペーサ１０４の有無、種類等によって主要な電気部品３８の前後位置を容易に調節できる。
（６）段落【００６５】を以下のとおり訂正する。
　【００６５】
　請求項４に記載の本発明によれば、裏カバー２６内で裏ベース板３２の前側に中継基板３３を配置し、この中継基板３３に、前記主要な電気部品３８を除く他の電気部品３８を装着すると共に前記主要な電気部品３８をリード線８２を介して接続し、この中継基板３３と裏カバー２６側の主制御基板５３とをケーブル８５を介して接続しているで、裏カバー２６により電気部品３８、中継基板３３を保護でき、その取り扱いが容易であると共に、裏カバー２６側で電気部品３８、中継基板３３、主制御基板５３を含む全ての検査を行うことができる。
　請求項５に記載の本発明によれば、遊技盤５と裏カバー２６との一方に位置決め突起５６を設け、この位置決め突起５６が係合する位置決め係合部５７を他方に設けているので、部品本体３７が遊技盤５側にあり、電気部品３８が裏カバー２６側にあるにも拘わらず、部品本体３７と電気部品３８とのずれ等を防止でき、遊技盤５と裏カバー２６との結合が容易である。
（５４）【発明の名称】
遊技機
（５７）【特許請求の範囲】
　　【請求項１】　遊技機本体（３）（４）に装着された遊技盤（５）側に、部品本体（３７）と、この部品本体（３７）に対応する電気部品（３８）を有する複数個の遊技部品（１９）を配置し、遊技盤（５）の
裏面に、前記複数個の遊技部品（１９）を覆う裏カバー（２６）を着脱自在に固定し
裏カバー（２６）内に、開口部（６２）が形成された裏ベース板（３２）を設け、
前者
、前者
し、一部が後者開口部（６２）を介して後方に突出するように裏ベース板（３２）
裏ベース板（３２）
　　【請求項２】　
裏
　　【請求項３】　裏ベース板（３２）に、この裏ベース板（３２）から前後方向に突出する取り付け部（６５）を設け、この取り付け部（６５）と前記主要な電気部品（３８）の取り付け板（４６）との間にスペーサ（１０４）を着脱自在に介在したことを特徴とする請求項１又は２に記載の遊技機。
　　【請求項４】　
裏カバー（２６）内で裏ベース板（３２）の前側に中継基板（３３）を配置し、この中継基板（３３）に、前記主要な電気部品（３８）を除く他の電気部品（３８）を装着すると共に前記主要な電気部品（３８）をリード線（８２）を介して接続し、この中継基板（３３）と裏カバー（２６）側の主制御基板（５３）とをケーブル（８５）を介して接続
　　【請求項５】　
遊技盤（５）と裏カバー（２６）との一方に位置決め突起（５６）を設け、この位置決め突起（５６）が係合する位置決め係合部（５７）を他方に設け
【発明の詳細な説明】
　　　【０００１】
　　【発明の属する技術分野】
　本発明は遊技機に関し、取り分けパチンコ機、アレンジボール機等の弾球遊技機、或いは回胴式遊技機等の遊技機における遊技部品の装着装置に関するものである。
　　　【０００２】
　　【従来の技術】
　弾球遊技機では、第１種パチンコ機、第２種パチンコ機、第３種パチンコ機、アレンジボール機等のように、その種類別にゲームの規格が定められており、同種の機械においては、遊技盤の盤面に配置される主要な遊技部品の配置構成は、各機械とも殆ど同じである。
　例えば、ゲーム情報を表示する表示手段に液晶式表示手段を採用したパチンコ機の場合には、遊技盤のガイドレールの内側の略中央部に液晶式表示手段を配置し、この液晶式表示手段の周辺部分に入賞口、大入賞手段等の各遊技部品を配置している。
　　　【０００３】
　また遊技部品は、合成樹脂材料を用いて射出成形された部品本体と、この部品本体の裏側に装着された液晶表示体、発光ランプ、球検出スイッチ等の電気部品とを備え、部品本体に電気部品を一体的に組み込んだ状態で完成されている。
　そして、新機種の弾球遊技機を製作する場合には、遊技盤に装着する各遊技部品の配列、構成等が殆ど同じであるため、各メーカーでは、その都度、形状、構造、色彩等が夫々異なった遊技部品を新しく製作し、その遊技部品を遊技盤に装着して、従来とは異なったデザインの弾球遊技機に仕上げている。
　　　【０００４】
　　【発明が解決しようとする課題】
　従来の遊技部品は、合成樹脂製の部品本体と電気部品を一体に結合しているため、同種類の弾球遊技機の場合であっても、新機種の弾球遊技機を製作する度に、新しい遊技部品を製作する必要があり、非常に不経済である。
　弾球遊技機では、その種類毎にゲーム構成が規定されており、同種類の機械では、その遊技盤に装着される主要な遊技部品の機能、配置、位置等は殆ど同じであるにも拘らず、例えば液晶式表示手段の部品本体と液晶表示体とのように、部品本体と電気部品とが一体であるため、部品本体の前側のデザインを若干変更する程度であっても、その遊技部品の全体を新しく製作し直す必要がある。
　　　【０００５】
　また多数の遊技部品の在庫がある場合でも、部品本体と電気部品とが一体で遊技部品を構成しているため、その電気部品の機能が全く同じでも、電気部品を含む遊技部品の全体を廃棄しなければならない欠点がある。
　特に液晶式表示手段等の場合には、部品本体の前後方向の寸法を変えて、この部品本体の裏側に配置される液晶表示体の画面を前側に配置したり、逆に後側に配置したりすることがあるが、従来であれば、部品本体と液晶表示体とを一体に結合して液晶式表示手段を構成しているため、液晶表示体には共通の部品を使用するとしても、部品本体が僅かに違うだけで、２種類の液晶式表示手段を別々に製作する必要があり、製作コストが大幅に高騰することになる。
　　　【０００６】
　更に従来の弾球遊技機では、部品本体と電気部品とを一体化した遊技部品を遊技盤の部品装着位置に個々にセットして固定する構造であるため、電気部品に接続されたリード線の取り扱いが困難であり、作業能率が低下すると共に、遊技部品の装着作業の自動化を図る上で問題となっている。
　　　【０００７】
　更に組み立て後に電気系統を検査する場合、従来は、遊技盤に全ての遊技部品を装着してから検査工程に送り、各電気部品の異常の有無を検査する方法を採っているため、検査時に大きな遊技盤ユニットを取り扱う必要がある。また検査によって異常を発見した場合には、その遊技部品のコネクタを中継基板から抜いて、他の遊技部品のリード線等を引っ掛けないようにリード線を引き出しながら、その遊技部品を遊技盤から取り外さなければならず、遊技部品の取り外し作業が煩わしいと言う欠点がある。
　　　【０００８】
　本発明は、このような従来の課題に鑑み、遊技盤に対する遊技部品の組み立て作業を容易にできると共に、主要な電気部品を備えた裏カバーを同種のものに兼用できるようにし、部品本体のデザイン等を変更する場合にも、主要な電気部品を兼用して廃棄等による無駄を防止でき、しかも部品本体に応じて主要な電気部品を前後に調節でき、また主要な電気部品を裏カバー側に組み立てた状態で容易に検査できる遊技機を提供することを目的とする。
　　　【０００９】
　　【課題を解決するための手段】
　請求項１に記載の本発明は、遊技機本体３，４に装着された遊技盤５側に、部品本体３７と、この部品本体３７に対応する電気部品３８を有する複数個の遊技部品１９を配置し、遊技盤５の
裏面に、前記複数個の遊技部品１９を覆う裏カバー２６を着脱自在に固定し
裏カバー２６内に、開口部６２が形成された裏ベース板３２を設け、
前者
、前者
し、一部が後者開口部６２を介して後方に突出するように裏ベース板３２
裏ベース板３２
　　　【００１０】
　請求項２に記載の本発明は、請求項１に記載の発明において、
裏
　請求項３に記載の本発明は、請求項１又は２に記載の発明において、裏ベース板３２に、この裏ベース板３２から前後方向に突出する取り付け部６５を設け、この取り付け部６５と前記主要な電気部品３８の取り付け板４６との間にスペーサ１０４を着脱自在に介在したものである。
　　　【００１１】
　請求項４に記載の本発明は、請求項１乃至３の何れかに記載の発明におい
て、裏
　請求項
５
４
　　　【００１２】
　　【発明の実施の形態】
　以下、本発明の実施形態を図面に基づいて詳述する。
　図１乃至図１０は本発明をパチンコ機に採用した第１の実施形態を例示する。図１及び図２において、１はパチンコ機、２はカード式球貸し機で、このパチンコ機１及び球貸し機２は、左右に交互に並べて図外の島構造体に横一列状に装着されている。
　　　【００１３】
　パチンコ機１は、外枠３と、この外枠３に開閉自在に枢着された前枠４とを備えている。なお、外枠３と前枠４とによりパチンコ機本体が構成されている。前枠４には、遊技盤５に対応するガラス扉６と、上皿７を支持する開閉板８とが上下に配置され、これらガラス扉６及び開閉板８は前枠４に回動自在に枢着されている。前枠４の下部には、上皿７の下側に下皿９が、この下皿９の一側方に発射手段１０の発射ハンドル１１が夫々設けられている。
　　　【００１４】
　遊技盤５は前枠４に裏側から着脱自在に装着されている。前枠４には、遊技盤５を裏側から押さえるための裏機構板１２が開閉、着脱自在に装着されている。裏機構板１２には開口窓１３が形成されると共に、その上側に賞球タンク１４、賞球タンクレール１５が、左右一側に球払い出し手段１６が、下側に通路ユニット１７等が夫々設けられている。
　　　【００１５】
　遊技盤５はベニヤ板等を略正方形状に切断したものであって、図３に示すように、発射手段１０により発射された遊技球を案内するガイドレール１８が設けられると共に、このガイドレール１８の内側に液晶式表示手段１９、ランプ風車２０、コーナーランプ２１、入賞口２２、チューリップ式入賞手段２３、始動ゲート２４、大入賞手段２５等の各遊技部品が配置され、またガイドレール１８の外側にコーナー装飾体２６ａが配置されている。
　　　【００１６】
　遊技盤５の裏側には、図２に示すように、液晶式表示手段１９等を裏側から覆う裏カバー２６と、入賞口２２等に入賞して遊技盤５の裏側に通過した入賞球を貯留する入賞球タンク２７とが上下に配置され、この裏カバー２６及び入賞球タンク２７は裏機構板１２の開口窓１３に嵌合して後方に突出している。
　　　【００１７】
　液晶式表示手段１９は、始動ゲート２４が遊技球の通過を検出した時に、３個の変動図柄を表示する等、ゲームに関連する各種の画像を表示するためのもので、遊技盤５の中央上部に配置されている。チューリップ式入賞手段２３は液晶式表示手段１９の下側に配置され、その左右両側に始動ゲート２４が配置されている。大入賞手段２５は開閉板２８により開閉される大入賞口２９を備え、遊技盤５の中央下部に配置されている。なお、大入賞手段２５には、左右両側に２個の入賞口３０，３１が設けられている。
　　　【００１８】
　液晶式表示手段１９、ランプ風車２０、コーナーランプ２１、チューリップ式入賞手段２３、始動ゲート２４、大入賞手段２５等の各遊技部品は、主として合成樹脂製等の成形品からなる部品本体と、この部品本体の裏側の電気部品とに分割されており、次に液晶式表示手段１９について具体的構造を例示するように、その各部品本体が遊技盤５の開口部３６に合わせて前面側から着脱自在に装着され、また各電気部品が裏カバー２６側に装着されている。
　そして、裏カバー２６側は、図６に示すように、その内部に裏ベース板３２、中継基板３３、集合板３４等を備え、各遊技部品の電気部品と共にひとつの裏カバーユニット３５を構成するようになっている。
　　　【００１９】
　液晶式表示手段１９は、図４、図６乃至図８に示すように、開口部３６に合わせて遊技盤５の前面側に装着された部品本体３７と、開口部３６を介して部品本体３７の後側に対応する液晶表示体３８とを備え、その液晶表示体３８により所定の画像を表示するようになっている。
　この実施形態では、液晶表示体３８の前後位置が若干異なる２種類の液晶式表示手段１９を例示し、その２種類の液晶式表示手段１９を個別に備えた遊技盤ユニットの製作に、同一の液晶表示体３８を備えた裏カバーユニット３５を兼用して使用するものとして説明する。
　　　【００２０】
　各部品本体３７は、図６乃至図８、図１１に示すように、遊技盤５の開口部３６に嵌合する胴部３９と、この胴部３９の前端外周に設けられ且つ遊技盤５の前面側に当接して開口部３６を塞ぐ取り付けベース４０と、この取り付けベース４０の上部側に設けられた庇部４１とを備え、合成樹脂材料により一体に成形されている。胴部３９は液晶表示体３８に対応する大きさの横長の矩形状であって、液晶表示体３８側が若干狭くなるようにテーパー状に構成されている。
　　　【００２１】
　そして、図３の遊技盤ユニットの液晶式表示手段１９には、図７及び図８に示すように中途に段部３９ａがある部品本体３７を使用し、また図１０の遊技盤ユニットの液晶式表示手段１９には、図１１に示すように中途の段部３９ａがない部品本体３７を使用しており、図３の場合と図１１の場合では、部品本体３７の胴部３９の形状、及び前後方向の寸法が若干異なっている。
　　　【００２２】
　取り付けベース４０は、複数本のネジ４２により遊技盤５の前面に着脱自在に取り付けられている。庇部４１には、その頂部側に入賞口４３が、前側中央にレンズ部４４が夫々設けられ、またレンズ部４４の左右両側に表示部４５が設けられている。
　液晶表示体３８は、前側から左右両側に突出する取り付け板４６を備え、この取り付け板４６を介して裏カバー２６側の裏ベース板３２に前後方向に位置調節可能で且つ着脱自在に取り付けられている。
　　　【００２３】
　裏カバー２６は、図６及び図７に示すように、遊技盤５に装着された液晶式表示手段１９等の各遊技部品を裏側から覆うためのもので、前端側の外周に取り付け縁部４７を、深さ方向の中間に取り付け用段部４８を夫々備え、その取り付け縁部４７が遊技盤５の裏面に当接され、位置決め手段４９及び固定具５０により遊技盤５に着脱自在に固定されている。
　　　【００２４】
　裏カバー２６には、図６及び図１５に示すように裏側に点検用の窓孔５１が形成され、主制御基板５３を収容する制御ボックス５２が窓孔５１を塞ぐように係止爪等を介して着脱自在に取り付けられている。取り付け段部４８には上下、左右の所定箇所に４個の取り付けピン５４が一体に形成され、この取り付けピン５４とネジ５５とによって裏ベース板３２、中継基板３３及び集合板３４が前側から着脱自在に固定されている。
　　　【００２５】
　位置決め手段４９は、図６及び図１３に示すように、遊技盤５に打ち込まれたピン状の位置決め突起５６と、裏カバー２６の取り付け縁部４７に形成された貫通孔状の位置決め係合部５７とにより構成され、裏カバー２６の左右両側に２個づつ配置されている。
　固定具５０は、図１３に示す如く、裏カバー２６の取り付け縁部４７の後側で位置決め突起５６の溝部５７ａに係脱自在に係合する係合片５８と、遊技盤５の裏面に固定され且つ係合片５８を取り付け縁部４７に対して出退自在に案内する支持体５９とにより構成され、その係合片５８の外端側に操作部６０が折り曲げ形成されている。
　なお、固定具５０は各位置決め手段４９に対応して、裏カバー２６の左右両側に２個づつ配置されている。
　　　【００２６】
　裏ベース板３２は、図５乃至図７に示すように、裏カバー２６に嵌合すべく矩形状に構成され、取り付け段部４８の各取り付けピン５４が嵌合するボス部６１を備え、周縁部が裏カバー２６の取り付け段部４８に当接されている。裏ベース板３２には、液晶式表示手段１９の液晶表示体３８に対応する開口孔６２が形成されると共に、ランプ風車２０、チューリップ式入賞手段２３、大入賞手段２５等の各遊技部品に対応する開口孔６３，６４が形成されている。また裏ベース板３２には、液晶表示体３８用の開口孔６２の左右両側の近傍から前方に突出する取り付け部６５が一体に形成されている。
　なお、裏ベース板３２には前面側に縦横に補強リブ６６が、裏面側には周縁部分に補強リブ６７が夫々形成されている。
　　　【００２７】
　液晶表示体３８は、図６乃至図８に示す如く、一部が開口孔６２に嵌合して裏ベース板３２から後方に突出するように、左右一対の取り付け部６５を介して裏ベース板３２に前後調節可能に取り付けられている。取り付け部６５は、開口孔６２の左右両側に、その開口縁に沿って上下方向に長く形成され、その前端側に直接又はスペーサ１０４を介して液晶表示体３８の取り付け板４６がネジ６８により着脱自在に固定されている。
　　　【００２８】
　取り付け部６５の前端には、図１４に示すように、上下方向の３箇所にネジ孔１０２が形成され、この各ネジ孔１０２間に嵌合凹部１０３が形成されている。スペーサ１０４には上下両端にネジ孔１０５が、中央に取り付け孔１０６が設けられ、その中間に取り付け部６５側の嵌合凹部１０３に嵌脱自在に嵌合する嵌合凸部１０７が形成されている。そして、スペーサ１０４は、図１１及び図１２に示すように、嵌合凸部１０７と嵌合凹部１０３とを嵌合させた状態で、中央の取り付け孔１０６から取り付け部６５の中央のネジ孔１０２側に挿通し螺合された１本のネジ１０８により、取り付け部６５の前端側に着脱自在に取り付けられている。
　　　【００２９】
　従って、液晶表示体３８を裏ベース板３２に対して後方側に偏位させて装着する時には、図９に示すように、上下両端の２個のネジ孔１０２に螺合する２本のネジ６８により取り付け部６５の前面に、また前側に偏位させて装着する時には、図１１及び図１２に示すように、スペーサ１０４を使用して、その上下両端の２個のネジ孔１０５に螺合する２本のネジ６８によりスペーサ１０４の前面に夫々取り付け板４６を固定すれば良く、液晶表示体３８を裏ベース板３２に取り付けるに際して、取り付け部６５と取り付け板４６との間にスペーサ１０４を介在するか否かによって、液晶表示体３８を裏ベース板３２に対して前後調節できるようになっている。
　　　【００３０】
　取り付け部６５は、この取り付け部６５に取り付け板４６を固定した時に、液晶表示体３８の前端側が部品本体３７の長い胴部３９の後端に当接又は近接する程度の高さとなっており、またスペーサ１０４は、取り付け部６５にスペーサ１０４を介して取り付け板４６を固定した時に、液晶表示体３８の前端側が部品本体３７の短い胴部３９の後端に夫々当接又は近接する程度の厚さとなっている。
　なお、大入賞手段２５の開閉板２８を駆動するソレノイド等の駆動部は、裏ベース板３２の下端側の開口孔６４に対応すにように、液晶表示体３８側の取り付け構造と同様に、取り付け部を介して裏ベース板３２に着脱自在に固定されている。またチューリップ式入賞手段２３の駆動部も同様である。
　　　【００３１】
　中継基板３３、集合板３４は、図５に示す如く大入賞手段２５の駆動部と干渉しないように、大入賞手段２５よりも上側で裏カバー２６内に設けられている。中継基板３３はプリント基板等により構成されている。中継基板３３には、液晶式表示手段１９側のレンズ部４４に対応する表示ランプ６９、表示部４５に対応する発光ダイオード７０、ランプ風車２０に対応する発光ダイオード７１、コーナーランプ２１に対応する発光ダイオード７２、大入賞手段２５に対応する発光ダイオードの他、コネクタ８０，８１、その他の必要な電気部品が取り付けられている。
　　　【００３２】
　液晶表示体３８は、図１５に示すように、リード線８２、コネクタ８３を介して中継基板３３側のコネクタ８０に着脱自在に接続され、また中継基板３３はコネクタ８４、フラットケーブル８５、コネクタ８６等を介して主制御基板５３のコネクタ８７に着脱自在に接続されている。なお、大入賞手段２５の駆動部、入賞口２２，２２，３０，３１，４３の検出スイッチ、始動ゲート２４の検出スイッチ等も、リード線、コネクタを介して中継基板３３側に接続されている。
　　　【００３３】
　中継基板３３にも、図５に示す如く裏ベース板３２と同様に、液晶表示体３８に対応して開口孔８８が形成されると共に、必要に応じてチューリップ式入賞手段２３等の各遊技部品に対応する開口孔が形成されている。なお、中継基板３３には取り付けピン５４が嵌合する取り付け孔８９が形成されている。
　　　【００３４】
　集合板３４は、図５に示すように、入賞口２２，２２，４３、チューリップ式入賞手段２３、始動ゲート２４等に入賞して通過孔９０から遊技盤５の裏側に通過した遊技球を遊技盤５に沿って下方の入賞球タンク２７へと案内するためのもので、ボス部９１に嵌合する取り付けピン５４を介して裏カバー２６側に着脱自在に固定されており、裏カバー２６を遊技盤５の裏面に装着した時に、その前面側が遊技盤５の裏面に当接するようになっている。
　　　【００３５】
　集合板３４には、入賞口２２，３０，３１，４３、チューリップ式入賞手段２３、始動ゲート２４等に対応する通路９２〜９５が一体に形成され、その各通路９２〜９５の途中に、この通路９２〜９５内を通過する遊技球を検出するように検出スイッチが設けられている。また集合板３４には、液晶表示体３８、ランプ風車２０の発光ダイオード７１、コーナーランプ２１の発光ダイオード７２、チューリップ式入賞手段２３の駆動部等に対応して開口孔９６〜９９が形成されている。
　　　【００３６】
　なお、液晶式表示手段１９の表示ランプ６９、発光ダイオード７０は、開口孔９６を介してレンズ部４４、表示部４５に夫々対応している。
　上記構成のパチンコ機１において、遊技盤ユニットを組み立てる場合には、次のようにして、遊技盤５側と裏カバーユニット３５側とを別々に組み立てた後、その遊技盤５の裏側に裏カバーユニット３５を取り付ける。
　　　【００３７】
　遊技盤５側の各部品装着位置に予め開口部３６等が形成されており、その各開口部３６等に合わせて遊技盤５の前面に各遊技部品の部品本体をネジ等により固定する。例えば、液晶式表示手段１９の部品本体３７の場合には、遊技盤５を作業台上に水平にセットして、その遊技盤５の開口部３６に胴部３９が嵌合するように、部品本体３７を遊技盤５に位置決めした後、取り付けベース４０を複数個のネジ４２で遊技盤５に固定する。
　　　【００３８】
　このようにして遊技盤５上に各遊技部品の部品本体を固定して行くが、各部品本体には電気部品が全くないか、又は仮に一部の電気部品があるとしても、極く付属的な少数の電気部品であるため、開口部３６から裏側にリード線８２等を通す必要がなく、組み立て作業が非常に容易であり、その自動化等も可能である。
　裏カバーユニット３５は、遊技盤５側とは別の工程で組み立て、各電気部品の異常の有無を検査しておく。
　　　【００３９】
　裏カバーユニット３５を組み立てる場合には、先ず裏ベース板３２に各遊技部品の電気部品を取り付ける。例えば、液晶式表示手段１９には、図３に示すものと、図１０に示すものとの２種類があるので、その何れかに応じて液晶表示体３８の取り付け板４６を裏ベース板３２側の取り付け部６５に直接固定するか、又はスペーサ１０４を介して裏ベース板３２側の取り付け部６５に固定する構造を採り、液晶表示体３８の前後位置を調節する。
　　　【００４０】
　即ち、図３の液晶式表示手段１９の場合には、図６乃至図８に示すように、胴部３９が長くなった部品本体３７を使用して構成する。そこで、図８及び図９に示すように、液晶表示体３８の取り付け板４６をネジ６８で取り付け部６５の前端に直接固定して、液晶表示体３８を裏ベース板３２に装着する。このため、液晶表示体３８は、胴部３９の長さに合わせて裏ベース板３２の後方側に若干偏位した状態となる。
　　　【００４１】
　また図１０の液晶式表示手段１９の場合には、図１１に示すように、胴部３９の短い部品本体３７を使用して構成する。このため、図１１及び図１２に示すように、取り付け部６５にネジ１０８でスペーサ１０４を固定し、このスペーサ１０４の前端に液晶表示体３８の取り付け板４６をネジ６８で固定する。このため、液晶表示体３８は、胴部３９の短い部品本体３７に合わせて、スペーサ１０４の厚さ分だけ前側に突出した状態となる。
　　　【００４２】
　勿論、この液晶表示体３８を裏ベース板３２に取り付ける場合には、液晶表示体３８の一部が開口孔６２に嵌合するように、取り付け部６５又はスペーサ１０４の上に取り付け板４６をセットし、その取り付け板４６をネジ６８で取り付け部６５又はスペーサ１０４に固定する。
　同様にして大入賞手段２５の駆動部等も取り付ける。
　　　【００４３】
　また中継基板３３に液晶式表示手段１９の表示ランプ６９、発光ダイオード７０、或いはコネクタ８０，８１等の各電気部品をプリント配線により装着する。更に集合板３４にも、その各通路９２〜９５に所定の検出スイッチを取り付ける。
　そして、裏ベース板３２、中継基板３３及び集合板３４の準備が完了すれば、取り付けピン５４が上になるように、裏カバー２６を作業台上に置き、その取り付けピン５４に裏ベース板３２のボス部６１を通し、その上から中継基板３３をセットし、次いで集合板３４のボス部９１を通した後、取り付けピン５４にネジ５５を締め付けて、裏ベース板３２、中継基板３３及び集合板３４を裏カバー２６側に固定した裏カバーユニット３５を構成する。
　　　【００４４】
　このように部品本体３７と液晶表示体３８とを分離して、その液晶表示体３８を裏ベース板３２を介して裏カバー２６側に装着して裏カバーユニット３５を構成すれば、液晶式表示手段１９を使用した同種類のパチンコ機１では、遊技盤５に対する液晶式表示手段１９の部品装着位置が殆ど同じであり、また裏カバー２６、裏ベース板３２、中継基板３３及び集合板３４の構成が同じであるため、液晶表示体３８を含む裏カバーユニット３５を複数種類のパチンコ機に兼用することができる。
　　　【００４５】
　従って、遊技盤ユニットの前面側のデザインを変えた新機種のパチンコ機１を製作する場合には、遊技盤５側に装着する部品本体３７側を新しくして、裏カバーユニット３５側をそのまま兼用することができ、従来のように液晶表示体３８を廃棄する必要がなく、電気部品の無駄を防止できると共に、裏カバーユニット３５の兼用化によってパチンコ機１の製作コストを大幅に低減できる。
　　　【００４６】
　また裏カバー２６、裏ベース板３２、中継基板３３、集合板３４をひとつの裏カバーユニット３５として取り扱うことができ、裏カバー２６、中継基板３３、集合板３４等が個々に分離している場合に比較して、遊技盤５側との結合作業、保管、その他の際の取り扱いが非常に容易である。
　しかも、裏ベース板３２、中継基板３３、集合板３４を裏カバー２６内で重ねた状態で取り付けピン５４により固定しているため、裏ベース板３２、中継基板３３、集合板３４を個々に裏カバー２６に取り付ける場合に比べて、裏カバー２６に対する裏ベース板３２、中継基板３３、集合板３４の取り付けが非常に容易であり、またその取り付け構造を簡単にできる。
　　　【００４７】
　裏ベース板３２、中継基板３３、集合板３４が裏カバー２６内にあり、しかも裏カバー２６の開口側に集合板３４があるので、裏カバー２６及び集合板３４により液晶表示体３８、リード線８２等を裏カバー２６、集合板３４によって確実に保護でき、裏カバーユニット３５の取り扱い中に電気部品が故障したり、リード線８２が断線する等の問題も防止できる。
　更に裏ベース板３２に主たる電気部品である液晶表示体３８装着し、その他の電気部品を中継基板３３にプリント配線で装着しているので、液晶表示体３８等の電気部品が裏カバー２６側にあるにも拘わらず、その各電気部品の裏カバー２６側への装着も容易にできる。
　　　【００４８】
　裏カバーユニット３５の組み立て後、その液晶表示体３８のリード線８２をコネクタ８３を介して中継基板３３のコネクタ８０に接続し、また裏カバー２６の裏側に、主制御基板５３を収納した制御ボックス５２を取り付けて、中継基板３３と主制御基板５３とをフラットケーブル８５等を介して接続する。
　これらの接続が完了すれば、裏カバーユニット３５を検査工程に送り、集合板３４側の各検出スイッチを作動させて、各電気部品の異常の有無、コネクタ８０，８１，８３，８４，８６，８７の接触不良、リード線８２の断線等の検査を行う。
　　　【００４９】
　このため裏カバーユニット３５を遊技盤５に装着する前に、裏カバーユニット３５の単体で検査でき、大きな遊技盤５に前面側から全ての遊技部品を装着し、遊技盤５の裏側に中継基板３３、裏カバー２６を個別に装着した状態で検査する従来に比較して、検査時の作業が非常に容易である。
　また電気部品に異常等があれば、この裏カバーユニット３５を遊技盤５に装着する前に、裏ベース板３２、中継基板３３、集合板３４等を取り外して交換すれば良く、その補修も非常に容易に行える。
　　　【００５０】
　遊技盤５側及び裏カバーユニット３５側の組み立てが完了すれば、遊技盤５の裏側に裏カバーユニット３５を装着して、両者を一体に結合する。
　この場合、液晶表示体３８の取り付け板４６を取り付け部６５に直接固定した裏カバーユニット３５は、図７及び図８に示すように、胴部３９の長い部品本体３７を装着した遊技盤５に装着し、また取り付け板４６をスペーサ１０４を介して取り付け部６５に固定した裏カバーユニット３５は、図１１及び図１２に示すように、胴部３９の短い部品本体３７を装着した遊技盤５に装着すると、液晶表示体３８の前端側が部品本体３７の胴部３９の後端近傍に位置し、この部品本体３７と液晶表示体３８とによって液晶式表示手段１９を構成できる。
　　　【００５１】
　裏カバーユニット３５を遊技盤５に取り付ける際には、裏カバー２６の取り付け縁部４７に形成された位置決め係合部５７を遊技盤５側の位置決め突起５６に合わせて、その位置決め突起５６を位置決め係合部５７に挿入する。これによって、遊技盤５側の部品本体３７に対して裏ベース板３２側の液晶表示体３８、中継基板３３側の発光ダイオード６９〜７２等の各電気部品が開口部３６等を介して前後に相対応するように確実に位置決めできる。
　　　【００５２】
　次に固定具５０の係合片５８を位置決め突起５６の溝部５７ａに係合させて、裏カバー２６を遊技盤５の裏面に固定すれば、遊技盤ユニットが完成し、組み立て作業が完了する。
　このため、従来の集合板３４、中継基板３３を個々に遊技盤５の裏側に順次固定し、最後に遊技部品、集合板３４、中継基板３３等の全体を覆うように、遊技盤５の裏側に裏カバー２６を装着する場合に比較して、組み立て作業が簡単であり、生産性が著しく向上する。
　　　【００５３】
　しかも、部品本体３７を装着した遊技盤５と、裏カバーユニット３５とを予め別々にストックしておけば、受注量に応じてパチンコ機１を製作する場合にも、遊技盤５と裏カバーユニット３５とを結合するだけで容易に遊技盤ユニットを組み立てることができ、パチンコ機１の最終組み立てが非常に容易である。
　また各遊技部品を部品本体３７と液晶表示体３８等の電気部品とに分離しているため、例えば液晶式表示手段１９の前面側の部品本体３７のデザインを変えて、遊技盤５全体のデザインを変更する場合には、液晶表示体３８を含む裏カバーユニット３５をそのまま使用して、部品本体３７をデザインの違うものと交換すれば良い。
　　　【００５４】
　このため、液晶表示体３８等の電気部品を含む遊技部品の全体を変える場合に比較して、液晶表示体３８等の主要な電気部品をその都度、廃棄する必要がなく、非常に経済的であって安価に製作でき、デザインの変更等のモデルチェンジを容易に行うことができる。つまり、遊技部品を部品本体３７と液晶表示体３８等の電気部品とに分離しているので、遊技盤５の前面側のデザインが異なる機種を数種類製作する場合にも、液晶表示体３８等の主要な電気部品等を含む裏カバーユニット３５を各機種に兼用することができ、安価に製作できる。
　　　【００５５】
　また単に液晶表示体３８を備えた裏カバーユニット３５を異なる種類のものに兼用できるだけでなく、取り付け部６５と取り付け板４６との間のスペーサ１０４を着脱することによって、各部品本体３７の前後方向の寸法に合わせて液晶表示体３８の位置を前後に調節でき、液晶表示体３８を部品本体３７に対して適正位置に配置することができる。
　液晶表示体３８の前後位置は、取り付け部６５と取り付け板４６との間に介在するスペーサ１０４の有無で調節しているので、取り付け板４６の取り付け構造が簡単であると共に、スペーサ１０４を複数種類準備することにより、そのスペーサ１０４の種類数に応じて液晶表示体３８の前後位置を自在に調節できる。
　　　【００５６】
　その他、例えば液晶式表示手段１９等の遊技部品を購入する場合にも、合成樹脂製の成形品である部品本体３７と、液晶表示体３８とを別々に購入できるため、両者を一体化した液晶式表示手段１９に比べて安価であり、遊技部品の購入コストを大幅に削減でき、全体の製作コストを低減することができる。
　　　【００５７】
　しかも、部品本体３７と液晶表示体３８とが別であるが、その部品本体３７を遊技盤５に、液晶表示体３８を裏ベース板３２を介して裏カバー２６側に夫々装着し、最後に遊技盤５と裏カバーユニット３５とを結合して完成するため、部品本体３７と液晶表示体３８とを組み合わせて液晶式表示手段１９を構成する場合の組み立て作業は、何等問題とならない。
　　　【００５８】
　裏ベース板３２に開口孔６２を形成し、その開口孔６２から一部が後方に突出するように液晶表示体３８を装着しているので、裏ベース板３２を遊技盤５に接近させて配置でき、遊技盤５の裏側への突出量を少なくできる。また開口孔６２を有する裏ベース板３２には液晶表示体３８を取り付けているが、前後両側に補強リブ６６，６７があり、この補強リブ６６，６７で裏ベース板３２を補強しているため、裏ベース板３２の十分な強度を確保できる。
　　　【００５９】
　更に裏ベース板３２の前に中継基板３３があり、その中継基板３３に発光ダイオード６９〜７２等の電気部品をプリント配線しているので、各電気部品のリード端子が中継基板３３の裏側に突出するが、補強リブ６６で裏ベース板３２と中継基板３３との間の間隔を確保できるため、そのリード端子が邪魔になることもない。
　　　【００６０】
　遊技店等に設置したパチンコ機１の稼働中に遊技部品の電気系統に故障が生じた場合には、前枠４及び裏機構板１２を開放した後、遊技盤ユニットを取り外すか、又は遊技盤５を前枠４側に装着したままの状態で、その遊技盤５から裏カバーユニット３５を取り外して、別の裏カバーユニット３５と交換すれば良い。従って、故障等に際しても容易且つ迅速に対応でき容易にメンテナンスを行うことができる。
　　　【００６１】
　図１６は本発明の第２の実施形態を例示し、取り付けピン５４の先端に球状の係止部１００を形成し、集合板３４のボス部９１の内周に、係止部１００が係脱自在に係合する係合孔１０１を形成したものである。
　このようにボス部９１の係合孔１０１に取り付けピン５４の係止部１００を係合させて、裏ベース板３２、中継基板３３及び集合板３４を取り付けピン５４に固定する場合には、取り付けピン５４をボス部６１，９１等に挿入するだけで固定でき、裏ベース板３２、中継基板３３、集合板３４の着脱を非常に容易にできる。
　　　【００６２】
　以上、本発明の各実施形態について詳述したが、本発明は各実施形態に限定されるものではない。
　例えば、実施形態では、液晶式表示手段１９を中心に説明したが、液晶式表示手段１９以外の遊技部品でも同様に実施可能である。
　また裏ベース板３２を裏カバー２６と一体に構成し、その裏ベース板３２に電気部品を装着する構造も可能である。
　中継基板３３、集合板３４は、裏カバーユニット３５から分離しても良い。
　遊技盤５に位置決め係合部５７を設け、裏カバー２６との一方に位置決め突起５６を裏カバー２６に設けても良い。
　更にパチンコ機等の弾球遊技機の他、回胴式の遊技機等においても同様に実施可能である。
　　　【００６３】
　　【発明の効果】
　請求項１に記載の本発明によれば、遊技盤５の部品装着位置に開口部３６を形成し、遊技部品１９の部品本体３７を開口部３６に合わせて遊技盤５の前側に装着すると共に、遊技部品１９の電気部品３８の内、少なくとも主要な電気部品３８を開口部３６を介して部品本体３７と前後に相対応するように裏カバー２６側に配置し、この主要な電気部品３８を裏カバー２６に前後方向に位置調節可能に取り付けているので、遊技盤５に対する遊技部品１９の組み立て作業を容易にできると共に、主要な電気部品３８側を種類の異なる遊技部品１９にも兼用でき、しかも遊技部品１９の形態に応じて主要な電気部品３８を前後に調節でき、また電気部品３８の組み立て状態での検査を容易にできる。また部品本体３７の寸法、形状等が前後に変化しても、その電気部品３８を部品本体３７に合わせて適正位置に配置でき、更に複数個の遊技部品１９の電気部品３８を裏カバー２６側に装着することも可能であるため、遊技盤５と裏カバー２６とを結合する最終的な組み立ても容易にできる。しかも、遊技部品１９の部品購入コストを低減して製作コストを削減できる。
更に裏ベース板３２に開口孔６２を形成し、この開口孔６２を介して一部が後方に突出するように裏ベース板３２に主要な電気部品３８を装着しているので、裏ベース板３２を遊技盤５に近接させて配置でき、遊技盤５から後方への突出量を抑えて小型化できる。
　　　【００６４】
　請求項２に記載の本発明によれ
ば、裏
　請求項３に記載の本発明によれば、裏ベース板３２に、この裏ベース板３２から前後方向に突出する取り付け部６５を設け、この取り付け部６５と前記主要な電気部品３８の取り付け板４６との間にスペーサ１０４を着脱自在に介在しているので、スペーサ１０４の有無、種類等によって主要な電気部品３８の前後位置を容易に調節できる。
　　　【００６５】
　請求項４に記載の本発明によれ
ば、裏
　請求項
５
【図面の簡単な説明】
　　【図１】
　本発明の第１の実施形態を示すパチンコ機の前側斜視図である。
　　【図２】
　本発明の第１の実施形態を示すパチンコ機の後側斜視図である。
　　【図３】
　本発明の第１の実施形態を示す遊技盤の斜視図である。
　　【図４】
　本発明の第１の実施形態を示す液晶式表示手段の正面図である。
　　【図５】
　本発明の第１の実施形態を示す裏カバーユニットの分解斜視図である。
　　【図６】
　本発明の第１の実施形態を示す遊技盤ユニットの横断面図である。
　　【図７】
　本発明の第１の実施形態を示す遊技盤ユニットの縦断面図である。
　　【図８】
　本発明の第１の実施形態を示す遊技盤ユニットの横断面図である。
　　【図９】
　本発明の第１の実施形態を示す遊技盤ユニットの縦断面図である。
　　【図１０】
　本発明の第１の実施形態を示す遊技盤の斜視図である。
　　【図１１】
　本発明の第１の実施形態を示す遊技盤ユニットの横断面図である。
　　【図１２】
　本発明の第１の実施形態を示す遊技盤ユニットの縦断面図である。
　　【図１３】
　本発明の第１の実施形態を示す裏カバー取り付け部の断面図である。
　　【図１４】
　本発明の第１の実施形態を示す取り付け部の斜視図である。
　　【図１５】
　本発明の第１の実施形態を示す遊技盤ユニットの縦断面図である。
　　【図１６】
　本発明の第２の実施形態を示す裏カバー取り付け部の断面図である。
　　【符号の説明】
　３　　外枠（遊技機本体）
　４　　前枠（遊技機本体）
　５　　遊技盤
　１９　液晶式表示手段（遊技部品）
　２６　裏カバー
　３２　裏ベース板
　３３　中継基板
　３５　裏カバーユニット
　３６　開口部
　３７　部品本体
　３８　液晶表示体（電気部品）
　４６　取り付け板
　５３　主制御基板
　５６　位置決め突起
　５７　位置決め係合部
　６２　開口孔
　６５　取り付け部
　８２　リード線
　８５　フラットケーブル
１０４　スペーサ